(57)【要約】【課題】部屋が暗くなったときに視聴者が居ないと判断した場合、自動的に電源をオフにする表示装置を提供する。【解決手段】本発明に係る表示装置は、ＯＰＣセンサ５１と、人感センサ５２と、ＯＰＣセンサ５１によって感知された感知照度と予め定められた基準照度とを比較する比較部１０１と、感知照度が基準照度よりも低く、かつ、人感センサ５２によって視聴者の存在が感知されないときに限って、映像の表示を自動的に停止する電源制御部１０２を備えている。【選択図】図１
2011139358.tif 000002
【特許請求の範囲】
【請求項１】
照度センサと、人感センサと、上記照度センサによって感知された感知照度と予め定められた基準照度とを比較する比較手段と、前記感知照度が前記基準照度よりも低く、かつ、上記人感センサによって視聴者の存在が感知されないときに限って、映像の表示を自動的に停止する停止手段とを備えている、
ことを特徴とする表示装置。
【請求項２】
上記停止手段は、上記感知照度が上記基準照度よりも高い状態から低い状態へと遷移し、かつ、上記人感センサによって視聴者の存在が感知されないときに限って、映像の表示を自動的に停止する、
ことを特徴とする請求項１に記載の表示装置。
【請求項３】
上記感知照度が上記基準照度よりも高いときに、表示する映像の輝度を上記感知照度に応じた輝度に調整する輝度調整手段を更に備えている、
ことを特徴とする請求項１又は２に記載の表示装置。
【請求項４】
上記停止手段は、上記照度センサによって感知された感知照度が予め定められた基準照度よりも低く、かつ、上記人感センサによって視聴者の存在が感知されないときに、外部機器の動作を自動的に停止させる、
ことを特徴とする請求項１から３までの何れか１項に記載の表示装置。
【請求項５】
上記停止手段は、上記照度センサによって感知された感知照度が予め定められた基準照度よりも低く、かつ、上記人感センサによって視聴者の存在が感知されないときに、外部機器を通常に動作している状態よりも消費電力の少ない状態に遷移させる、
ことを特徴とする請求項１から３までの何れか１項に記載の表示装置。
【請求項６】
上記人感センサは、焦電型赤外線センサである、
ことを特徴とする請求項１から５までの何れか１項に記載の表示装置。
【請求項７】
照度センサ及び人感センサを備えた表示装置において、映像の表示を自動的に停止する停止方法であって、
上記照度センサによって感知された感知照度が予め定められた基準照度よりも低く、かつ、上記人感センサによって視聴者の存在が感知されないときに限って、映像の表示を自動的に停止する停止工程を含んでいる、
ことを特徴とする停止方法。
【請求項８】
請求項１から６までの何れか１項に記載の表示装置が備えているコンピュータを動作させるプログラムであって、上記コンピュータを上記の各手段として機能させるためのプログラム。
【請求項９】
請求項８に記載のプログラムを記録したコンピュータ読み取り可能な記録媒体。
【発明の詳細な説明】
【技術分野】
【０００１】
本発明は、人の存在を感知する装置及び周囲の照度を感知する装置を備えた表示装置、及びその停止方法に関する。
【背景技術】
【０００２】
近年、消費電力の削減が家電製品の付加価値となりつつあり、テレビ（テレビジョン受像機）に対しても消費電力の削減が求められている。テレビにおける消費電力を削減する手法の１つとして、視聴者が映像を見ていない可能性が高いときに映像の表示を自動的に停止する技術が知られている。
【０００３】
例えば、特許文献１、及び、非特許文献１には、視聴者が一定時間以上テレビの前から離れているときに、映像の表示を自動的に停止する技術が開示されている。また、周囲の照度が基準照度よりも低いときに、映像の表示を自動的に停止する技術も実用化されている。
【０００４】
なお、消費電力の削減を目的とする技術ではないものの、特許文献２〜３には視聴者がテレビの前に居るか否か、及び、周囲の照度が基準照度よりも高いか否かに応じてテレビを制御する技術が開示されている。
【先行技術文献】
【特許文献】
【０００５】
【特許文献１】特開平６−７８２４６号公報（平成６年３月１８日公開）
【特許文献２】特開２００４−１２００４９号公報（平成１６年４月１５日公開）
【特許文献３】特開２００８−２５２５２６号公報（平成２０年１０月１６日公開）
【非特許文献】
【０００６】
【非特許文献１】［online］、ソニー、（平成２１年１１月１３日検索）、インターネット<http://www.sony.jp/bravia/shoene/index02.html>
【発明の概要】
【発明が解決しようとする課題】
【０００７】
しかしながら、周囲の照度が基準照度よりも低いときに映像の表示を停止する技術をテレビに適用した場合、部屋を暗くすると、視聴者がテレビの前に居ても映像の表示が停止されてしまい、暗い部屋でテレビを見たいというユーザの要望に応えることができないという問題を生じる。
【０００８】
また、視聴者が一定時間以上テレビの前から離れているときに映像の表示を停止する技術を適用した場合、離れた場所（人感センサの感知範囲外）からテレビを見たい（例えば、リビングに置かれたテレビをキッチンから見たい）というユーザの要望に全く応えることができないという問題があった。
【０００９】
なお、非特許文献１には、視聴者が一定時間以上テレビの前から離れたときに映像の表示を自動的に停止する技術、及び、部屋の照度に応じてテレビの輝度を自動的に調節する技術が開示されているものの、この二つの技術はそれぞれ独立して機能しているものに過ぎない。
【００１０】
本発明は、上記の課題を解決するためになされたものであり、その主たる目的は、暗い部屋でも映像を見たい、あるいは、離れた場所からも映像を見たいといったユーザの要望に応えつつ、消費電力の削減を図ることができる表示装置を実現することにある。
【課題を解決するための手段】
【００１１】
本発明に係る表示装置は、上記課題を解決するために、照度センサと、人感センサと、上記照度センサによって感知された感知照度と予め定められた基準照度とを比較する比較手段と、前記感知照度が前記基準照度よりも低く、かつ、上記人感センサによって視聴者の存在が感知されないときに限って、映像の表示を自動的に停止する停止手段とを備えていることを特徴としている。
【００１２】
上記の構成によれば、上記照度センサによって感知された感知照度が予め定められた基準照度よりも低く、かつ、上記人感センサによって視聴者の存在が感知されないときに、映像の表示を自動的に停止することができる。例えば、視聴者が部屋の照明を消して、部屋から立ち去る際に、映像の表示を自動的に停止することができる。これによって、視聴者が上記表示装置に表示される映像を見ていないにも関わらず、上記表示装置が映像を表示し続けることに伴う電力の浪費を防止することができる。
【００１３】
また、上記の構成によれば、上記照度センサによって感知された感知照度が予め定められた基準照度よりも高い場合、映像の表示が自動的に停止されることはない。したがって、上記表示装置が明るい環境におかれていれば、上記視聴者が上記人感センサの感知範囲外に居ても、上記視聴者は上記表示装置に表示された映像を見ることができる。
【００１４】
また、上記の構成によれば、上記人感センサによって視聴者の存在が感知された場合、映像の表示が自動的に停止されることはない。したがって、上記視聴者が上記人感センサの感知範囲内に居れば、上記表示装置が暗い環境におかれていても、上記視聴者は上記表示装置に表示された映像を見ることができる。
【００１５】
本発明に係る表示装置において、上記停止手段は、上記感知照度が上記基準照度よりも高い状態から低い状態へと遷移し、かつ、上記人感センサによって視聴者の存在が感知されないときに限って、映像の表示を自動的に停止することが好ましい。
【００１６】
上記の構成によれば、上記表示装置が暗い環境におかれ、かつ、上記視聴者が上記人感センサの感知範囲外に居る状態であっても、映像の表示を開始することができる（開始直後に映像の表示が自動的に停止してしまうことはない）。
【００１７】
本発明に係る表示装置では、上記感知照度が上記基準照度よりも高いときに、表示する映像の輝度を上記感知照度に応じた輝度に調整する輝度調整手段を更に備えていることが好ましい。
【００１８】
上記の構成によれば、上記感知照度に応じて表示する映像の輝度を調整ことができる。すなわち、部屋の照度が高い場合には映像の輝度を明るくし、部屋の照度が低い場合（但し、上記光センサにより感知された照度は上記基準となる照度よりも高い）には映像の輝度を暗くすることができる。これによって、上記映像の輝度を調整しない場合と比較して、消費電力を削減することができる。
【００１９】
本発明に係る表示装置ではさらに、上記停止手段は、上記照度センサによって感知された感知照度が予め定められた基準照度よりも低く、かつ、上記人感センサによって視聴者の存在が感知されないときに、外部機器の動作を自動的に停止させることが好ましい。
【００２０】
上記の構成によれば、映像の表示を自動的に停止させるのと同時に、外部機器の動作を自動的に停止させることができる。これによって、視聴者が外部機器を使用していないにも関わらず、外部機器を動作させ続けることに伴う電力の浪費を防止することができる。
【００２１】
本発明に係る表示装置ではさらに、上記停止手段は、上記照度センサによって感知された感知照度が予め定められた基準照度よりも低く、かつ、上記人感センサによって視聴者の存在が感知されないときに、外部機器を通常に動作している状態よりも消費電力の少ない状態に遷移させることが好ましい。
【００２２】
上記の構成によれば、映像の表示を自動的に停止させるのと同時に、外部機器を通常に動作している状態よりも消費電力の少ない状態に遷移させることができる。消費電力の少ない状態とは、例えば、電源は完全にＯＦＦされず、ＣＰＵなどに最小限の電力のみ供給されており、リモートコントローラの操作によって電源がＯＮの状態に復帰できるスタンバイモードである。これによって、視聴者が外部機器を使用していないにも関わらず、外部機器を動作させ続けることに伴う電力の浪費を防止することができる。
【００２３】
本発明に係る上記熱センサは、焦電型赤外線センサであることが好ましい。
【００２４】
上記の構成によれば、広帯域の波長を感知することができる。これによって、より正確に視聴者が居るか否かを感知することができる。
【００２５】
本発明に係る停止方法は、照度センサ及び人感センサを備えた表示装置において、映像の表示を自動的に停止する停止方法であって、上記照度センサによって感知された感知照度が予め定められた基準照度よりも低く、かつ、上記人感センサによって視聴者の存在が感知されないときに限って、映像の表示を自動的に停止する停止工程を含んでいることを特徴としている。
【００２６】
上記の構成によれば、上記照度センサによって感知された感知照度が予め定められた基準照度よりも低く、かつ、上記人感センサによって視聴者の存在が感知されないときに、映像の表示を自動的に停止することができる。例えば、視聴者が部屋の照明を消して、部屋から立ち去る際に、映像の表示を自動的に停止することができる。これによって、視聴者が上記表示装置に表示される映像を見ていないにも関わらず、上記表示装置が映像を表示し続けることに伴う電力の浪費を防止することができる。
【００２７】
また、上記の構成によれば、上記照度センサによって感知された感知照度が予め定められた基準照度よりも高い場合、映像の表示が自動的に停止されることはない。したがって、上記表示装置が明るい環境におかれていれば、上記視聴者が上記人感センサの感知範囲外に居ても、上記視聴者は上記表示装置に表示された映像を見ることができる。
【００２８】
また、上記の構成によれば、上記人感センサによって視聴者の存在が感知された場合、映像の表示が自動的に停止されることはない。したがって、上記視聴者が上記人感センサの感知範囲内に居れば、上記表示装置が暗い環境におかれていても、上記視聴者は上記表示装置に表示された映像を見ることができる。
【００２９】
なお、本発明に係る表示装置を動作させるためのプログラムであって、コンピュータを上記の各手段として機能させることを特徴とするプログラム、及び、それらのプログラムを記録したコンピュータ読み取り可能な記録媒体も本発明の範疇に含まれる。
【発明の効果】
【００３０】
以上のように、本発明に係る表示装置は、照度センサによって感知された感知照度が予め定められた基準照度よりも低く、かつ、人感センサによって視聴者の存在が感知されないときに限って、映像の表示を自動的に停止させるので、暗い部屋でも映像を見たい、あるいは、離れた場所からも映像を見たいといったユーザの要望に応えつつ、消費電力の削減を図ることができる。
【図面の簡単な説明】
【００３１】
【図１】本発明の実施形態に係る表示装置が備える制御部の要部構造を示すブロック図である。
【図２】本発明の実施形態に係る表示装置の要部構成を示すブロック図である。
【図３】本発明の実施形態に係る表示装置が備える制御部の動作を示すフローチャートである。
【図４】本発明の実施形態に係る表示装置の状態遷移図である。
【発明を実施するための形態】
【００３２】
本発明の一実施形態に係る表示装置について、図１から図４を参照して説明すれば以下のとおりである。
【００３３】
（表示装置の構成）
まず、本実施形態に係る表示装置１０の構成について、図２を参照して説明する。図２は、表示装置１０の構成を示すブロック図である。
【００３４】
表示装置１０（表示装置）は、テレビジョン受像機であり、図２に示すように、メモリ７、アナログチューナー部１２、デジタルチューナー部１４、デジタル復調部１５、分離部１６、ビデオデコード部１７、ビデオセレクタ部１８、映像処理部１９、表示制御部２１、液晶表示装置２２、ＩＰ放送チューナー部２３、ＥＰＧ／ＯＳＤ処理部２４、オーディオデコード部２５、オーディオセレクタ部２６、音声出力変換部２７、スピーカ２８、外部入力部３１、記録／再生部３２、選局部３３、通信制御部３４、リモコン受光部３５、ＯＰＣ（ＲＧＢ）センサ５１（照度センサ）、人感（熱）センサ５２（人感センサ）、電源部５３、及び、制御部１００を備えている。また、表示装置１０は、アンテナ１１、アンテナ１３、及び、外部機器３０（外部機器）と接続可能に構成されており、リモートコントローラ３６による操作が可能である。
【００３５】
アナログチューナー部１２は、アンテナ１１において受信したアナログ放送信号から、選局部３３にて選択されたチャンネルに重畳された映像信号および音声信号を抽出し、抽出した映像信号をビデオセレクタ部１８に供給すると共に、抽出した音声信号をオーディオセレクタ部２６に供給する。
【００３６】
デジタルチューナー部１４は、アンテナ１３において受信したデジタル放送信号から、選局部３３にて選択されたチャンネルに重畳されたデジタル信号を抽出し、抽出したデジタル信号をデジタル復調部１５に供給する。デジタル復調部１５は、デジタルチューナー部１４にて抽出されたデジタル信号から、所定の形式（例えば、ＭＰＥＧ２−ＴＳ形式）のストリームデータを生成し、生成したストリームデータを分離部１６に供給する。
【００３７】
ＩＰ放送チューナー部２３は、ネットワークを介して接続された外部装置（例えば、サーバ装置）から、選局部３３にて選択されたコンテンツのストリームデータを取得し、取得したストリームデータを分離部１６に供給する。ＩＰ放送チューナー部２３によるストリームデータの取得は、通信制御部３４を介して行われる。なお、ネットワークとしては、特に限定されるものではない。例えば、電話回線、ＬＡＮ、ＨＤＭＩケーブルなどを用いたネットワークを挙げることができる。
【００３８】
外部入力部３１は、表示装置１０に接続された外部機器３０に記録されている映像信号及び音声信号を、制御部１００からの指令に基づいて読み出し、映像データをビデオセレクタ部１８に供給すると共に、音声データをオーディオセレクタ部２６に供給する。外部機器３０としては、ＨＤＤ、外部メモリ、ＢＤプレイヤ、ＤＶＤプレイヤ、ＣＤプレイヤなどが挙げられる。
【００３９】
表示装置１０には、光ディスクドライブなどの記録／再生部３２が内蔵されている。記録／再生部３２は、外部入力部３１に接続されており、表示装置１０は、外部機器３０に記録されているコンテンツデータを再生する場合と同様に、記録／再生部３２に記録されているコンテンツデータを再生することができる。
【００４０】
分離部１６は、デジタルチューナー部１４またはＩＰ放送チューナー部２３から供給されたストリームデータを映像データ、音声データ、及び、付加データに分離する。分離部１６にて分離された映像データ、音声データ、及び、付加データは、それぞれ、ビデオデコード部１７、オーディオデコード部２５、及び、ＥＰＧ／ＯＳＤ処理部２４に供給される。分離部１６にて分離された付加データは、また、メモリ７に記憶される。
【００４１】
ビデオデコード部１７は、分離部１６において分離された映像データをデコードする。ビデオデコード部１７にて得られた映像信号は、必要に応じてアナログ信号にＤＡ変換されてビデオセレクタ部１８に供給される。
【００４２】
オーディオデコード部２５は、分離部１６において分離された音声データをデコードする。オーディオデコード部２５にて得られた音声信号は、必要に応じてアナログ信号にＤＡ変換されてオーディオセレクタ部２６に供給される。
【００４３】
ＥＰＧ／ＯＳＤ処理部２４は、分離部１６にて分離された付加データに基づいて、ＯＳＤ（オン・スクリーン・ディスプレイ）表示すべき映像を表す映像信号を生成する。ＯＳＤ表示する映像としては、ＥＰＧ（電子番組表）や字幕などが挙げられる。ＥＰＧ／ＯＳＤ処理部２４にて生成された映像信号は、合成部２０に供給される。
【００４４】
ビデオセレクタ部１８には、上述したアナログチューナー部１２、及び、ビデオデコード部１７からの映像信号の他に、外部入力部３１を介して外部機器３０（例えば、ＨＤＤ、外部メモリ、ＢＤプレイヤ、ＤＶＤプレイヤなど）から出力された映像信号が供給される。ビデオセレクタ部１８は、制御部１００からの指令に基づき、これらの映像信号のうちから再生対象とする映像信号を選択し、選択した映像信号を映像処理部１９に供給する。
【００４５】
映像処理部１９は、ビデオセレクタ部１８にて選択された映像信号を処理する。ここでの処理としては、例えばＩＰ変換やフレームレート変換などを挙げることができる。映像処理部１９にて処理された映像信号は、合成部２０に供給される。合成部２０は、映像処理部１９にて処理された映像信号と、ＥＰＧ／ＯＳＤ処理部２４にて生成された映像信号とを合成し、表示制御部２１に供給する。表示制御部２１は、合成された映像信号に基づき、液晶表示装置２２を駆動する。
【００４６】
オーディオセレクタ部２６には、上述したアナログチューナー部１２、及び、オーディオデコード部２５からの音声信号の他に、外部入力部３１を介して外部機器３０（例えば、ＨＤＤ、外部メモリ、ＢＤプレイヤ、ＤＶＤプレイヤ、ＣＤプレイヤなど）から出力された音声信号が供給される。オーディオセレクタ部２６は、制御部１００からの指令に基づき、これらの音声信号のうちから再生対象とする音声信号を選択し、選択した音声信号を音声出力変換部２７に供給する。音声出力変換部２７は、オーディオセレクタ部２６にて選択された音声信号を増幅し、増幅された音声信号をスピーカ２８に供給する。
【００４７】
ＯＰＣ（ＲＧＢ）センサ５１は、周囲の照度を感知するセンサである。ＯＰＣセンサ５１は、感知した周囲の照度に応じた値をとる電気信号（以下、「照度信号」と呼称する）を生成する。ＯＰＣセンサ５１により生成された照度信号は、増幅回路（不図示）によって増幅された後、ＡＤＣ（不図示）によってデジタル信号に変換され、制御部１００に供給される。
【００４８】
人感センサ５２は、周囲に人が存在するか否かを感知するセンサである。人感センサ５２は、例えば、熱源の移動を検出することによって、あるいは、熱源の温度と周囲の温度との差を検出することによって、周囲に人が存在するか否かを感知する。人感センサ５２の出力信号（以下、「人感信号」と呼称する）は、増幅回路（不図示）によって増幅された後、ＡＤＣ（不図示）によってデジタル信号に変換され、制御部１００に供給される。
【００４９】
なお、人感センサ５２には、赤外線を照射し、その反射を検出するアクティブセンサと、赤外線を照射せず、対象物から発せられた赤外線を検出するパッシブセンサとがある。焦電型赤外線センサは、パッシブセンサの一例である。
【００５０】
表示装置１０の周囲（より正確には、人感センサ５２の感知範囲）に人（視聴者）が居る場合、人感センサ５２により感知される温度変化が大きくなり、表示装置１０の周囲に人が居ない場合、人感センサ５２により感知される温度変化が小さくなる。このため、人感センサ５２から供給される人感信号の値を参照することにより、表示装置１０の周囲に人がいるか否かを判定することができる。
【００５１】
電源部５３は、通常モード、又は、スタンバイモードで動作する。ここで、通常モードとは、図２に示すブロック（電源部５３を除く）のうち、電力を消費する全てのブロックに電力を供給する動作モードであり、スタンバイモードは、図２に示すブロック（電源部５３を除く）のうち、外部インターフェース（外部入力部３１、通信制御部３４、リモコン受光部３５）、センサ（ＯＰＣセンサ５１、人感センサ５２）、制御部１００に限定して電力を供給する動作モードである。
【００５２】
制御部１００は、リモートコントローラ３６が送信し、リモコン受光部３５が受信したリモコン信号に基づいて、電源部５３の動作モードを切り替える。具体的には、通常モードにおいて、リモートコントローラ３６に設けられた電源ボタン（不図示）が押下されると、電源部５３をスタンバイモードに切り替え、スタンバイモードにおいて、リモートコントローラ３６に設けられた電源ボタンが押下されると、電源部５３を通常モードに切り替える。制御部１００は、更に、人感センサ５２から供給される人感信号、及び、ＯＰＣセンサから供給される照度信号に基づいて、電源部５３の動作モードを切り替える。人感信号、及び、照度信号に基づく電源部５３の制御の詳細については、参照する図面を代えて後述する。
【００５３】
（制御部の構成）
本実施形態に係る表示装置１０が備えている制御部１００の構成について、図１を参照して説明する。図１は、制御部１００の構成を示すブロック図である。
【００５４】
制御部１００は、図１に示すように、比較部１０１（比較手段）、比較部１０２、電源制御部１０３、及び、輝度調整部１０４を備えている。
【００５５】
比較部１０１は、ＯＰＣセンサ５１から取得した、周囲の照度を示す照度信号の値と、予めメモリ７に記録されている、基準照度を示す閾値とを比較することによって、周囲の照度が基準照度よりも高いか否かを判定する。そして、その判定結果を電源制御部１０３及び輝度調整部１０４に通知する。ここで、判定結果の通知には、例えば、周囲の照度が基準照度よりも高い場合にはＬレベルをとり、周囲の照度が基準照度よりも低い場合にはＨレベルをとる２値信号を用いることができる。
【００５６】
輝度調整部１０４は、周囲の照度が基準照度よりも高いという判定結果が比較部１０１から通知された場合に、液晶表示装置２２に表示される映像の輝度を、表示装置１０の周囲の照度に応じた輝度に調整する。具体的には、液晶表示装置２２のバックライトの光量を、ＯＰＣセンサ５１から取得した照度信号の値に応じた輝度に調整する。
【００５７】
比較部１０２は、周囲の照度が基準照度よりも高いという判定結果が比較部１０１から通知された場合に、人感センサ５２から取得した人感信号の値と、予めメモリに記録されている閾値とを比較することによって、表示装置１０の周囲に人が居るか否かを判定する。そして、比較部１０２は、その判定結果を電源制御部１０３に通知する。人感信号の値に基づいて表示装置１０の周囲に人が居るか否かを判定する方法としては、例えば、人感センサ５２から取得した人感信号の値が閾値よりも大きい場合、周囲に人が居ると判定し、人感信号の値が閾値よりも小さい場合、周囲に人が居ないと判定する判定方法が挙げられる。
【００５８】
電源制御部１０３は、比較部１０１から通知された判定結果及び比較部１０２から通知された判定結果に基づいて電源部５３を制御する。具体的には、比較部１０１から周囲の照度が基準照度より低いという判定結果が通知され、かつ、比較部１０２から周囲に人が居ないという判定結果が通知された場合に限って、電源部５３を通常モードからスタンバイモードへと切り替える。
【００５９】
制御部１００が上述の構成を備えていることによって、周囲の照度が基準照度よりも低く、かつ、周囲に人が居ないときに、映像の表示を自動的に停止することができる。すなわち、例えば、視聴者が部屋の照明を消して部屋から立ち去った場合など、視聴者が表示装置１０に表示される映像を見ていない可能性が高いときに、映像の表示を自動的に停止することができる。これにより、視聴者が表示装置１０に表示される映像を見ていないにも関わらず、表示装置１０が映像を表示し続けることに伴う電力の浪費を防止することができる。
【００６０】
なお、制御部１００は、周囲の照度が基準照度よりも低く、かつ、周囲に人が居ないときに、映像の表示を自動停止すると共に、外部機器３０の動作を停止させる機能を有していてもよい。例えば、外部機器３０がＨＤＭＩ機器である場合、制御部１００は、外部機器３０に対してＣＥＣコマンドを送信することによって、外部機器３０の動作を停止させることができる。なお、制御部１００は、周囲の照度が基準照度よりも低く、かつ、周囲に人が居ないときに、外部機器３０の動作を停止させる構成を示したが、これに限定されるものではなく、外部機器３０を例えばスタンバイモードに遷移させてもよい。
【００６１】
なお、外部機器３０は表示装置１０が備えているＨＤＭＩ端子に接続された機器に限定されるものではなく、例えば、表示装置１０が備えているＩＥＥＥ１３９４端子、ＬＡＮ端子、ＵＳＢ端子などに接続された機器であってもよい。また、ＵＷＢ、無線ＬＡＮなどを用いてワイヤレス接続された機器であってもよい。
【００６２】
（制御部の動作）
本実施形態に係る表示装置１０が備えている制御部１００の動作について、図３及び図４を参照して説明する。図３は、本実施形態における制御部１００の動作を示すフローチャートである。図４は、本実施形態における表示装置１０の状態遷移図である。
【００６３】
図３に示すように、表示装置１０がＯＮ状態に切り替えられると、比較部１０１によって、表示装置１０の周囲の照度が基準照度よりも高いか否かが判定される（ステップＳ１）。周囲の照度が基準照度よりも高い場合（ステップＳ１においてＹＥＳと判定された場合）、輝度調整部１０４によって、液晶表示装置２２に表示される映像の輝度が周囲の照度に応じた輝度に調整される（ステップＳ２）。
【００６４】
ステップＳ１およびステップＳ２は、周囲の照度が基準照度よりも低くなる（ステップＳ１においてＮＯと判定される）まで繰り返される。この間、液晶表示装置２２に表示される映像の輝度は、周囲の照度に応じて変化する。例えば、周囲の照度が基準照度よりも高い初期照度から基準照度に低下した場合、図４において状態Ｔ１から状態Ｔ２への遷移として示すように、初期照度に応じた輝度から基準照度に応じた輝度に低下する。
【００６５】
周囲の照度が基準照度よりも低い場合（ステップＳ１においてＮＯと判定された場合）、比較部１０２によって、表示装置１０の周囲に人が居るか否かが判定される（ステップＳ３）。周囲の照度が基準照度よりも低く（ステップＳ１においてＮＯと判定され）、かつ、周囲に人が居る場合（ステップＳ３においてＹＥＳと判定された場合）、再度、比較部１０１によって、表示装置１０の周囲の照度が基準照度よりも高いか否かが判定される（ステップＳ１）。
【００６６】
ステップＳ１およびステップＳ３は、周囲に人が居なくなるか（ステップＳ３においてＮＯと判定されるか）、または、周囲の照度が基準照度よりも高くなる（ステップＳ１においてＹＥＳと判定される）まで繰り返される。この間、液晶表示装置２２に表示される映像の輝度は、基準照度に応じた最低輝度に保たれる。図４における状態Ｔ３は、周囲の照度が基準照度よりも低いが、周囲に人が居るため、液晶表示装置２２に表示される映像の輝度が最低輝度に保たれて状態を示している。
【００６７】
一方、周囲の照度が基準照度よりも低く（ステップＳ１においてＮＯと判定され）、かつ、周囲に人が居ない場合（ステップＳ３においてＮＯと判定された場合）、電源制御部１０３によって、電源部５３が通常モードからスタンバイモードへと切り替えられる。図４における状態Ｔ２から状態Ｔ４への遷移は、周囲に人が居ない状態で周囲の照度が基準照度に達したときに、電源部５３がスタンバイモードに切り替えられ、映像の表示が停止されることを示している。また、図４における状態Ｔ３から状態Ｔ４への遷移は、周囲の照度が基準照度よりも低い状態で周囲に人が居なくなったときに、電源部５３がスタンバイモードに切り替えられ、映像の表示が停止されることを示している。
【００６８】
なお、図３においては、周囲の照度が基準照度よりも低く、かつ、周囲に人が居る場合には、液晶表示装置２２に表示される映像の輝度を調整しない構成を示したが、本発明はこれに限定されるものではない。すなわち、周囲の照度が基準照度よりも低く、かつ、周囲に人が居る場合にも、液晶表示装置２２に表示される映像の輝度を調整する構成を採用してもよい。これにより、周囲に人が居れば、周囲の照度が基準照度よりも高いか否かに依らず、液晶表示装置２２に表示される映像の輝度を、周囲の照度に応じた輝度に変化させることができる。
【００６９】
なお、図３においては、周囲の照度が基準照度よりも低く、かつ、周囲に人が居ない場合に、電源部５３をスタンバイモードに切り替える構成を示したが、本発明はこれに限定されるものではない。すなわち、電源部５３をスタンバイモードに切り替える代わりに、ＯＦＦ状態（図２に示すブロックの何れにも電力を供給しない状態）に切り替える構成、映像の表示をＯＦＦ（液晶表示装置２２のバックライトを消灯）にする構成、又は、音声の出力をＯＦＦにする構成を採用してもよい。すなわち、周囲の照度が基準照度よりも低く、かつ、周囲に人が居ない場合に、映像の表示を停止する構成であれば、本実施形態に係る表示装置１０と同様の効果を奏する。これは、液晶表示装置２２のバックライトにおいて消費される電力が表示装置１０において消費される電力の大部分を占めるためである。
【００７０】
ところで、図３に示したフローチャートのとおりに制御部１００を動作させると、周囲の照度が基準照度よりも低く、かつ、周囲に人が居ない状態でリモートコントローラ３６によって表示装置１０をスタンバイモードから通常モードに遷移させた場合、ステップＳ１：ＮＯ→ステップＳ３：ＮＯ→電源ＯＦＦの順に処理が進み、ユーザの意思の反して表示装置１０は直ちにスタンバイモードに戻ってしまうという問題が生じ得る。
【００７１】
このような問題を生じさせないためには、表示装置１０がＯＮ状態に切り替えられた直後に（図３においてステップＳ１を実施する前に）、周囲の照度が基準照度よりも高いか否かを判定するステップＳ０（図３において不図示）を追加し、ステップＳ０において周囲の照度が基準照度よりも高いと判定された場合に限って、図３に示す処理（ステップＳ１〜ステップＳ３）を実施するようにすればよい。この場合、周囲の照度が基準照度よりも高い状態から低い状態へと遷移し（ステップＳ０においてＹＥＳ、かつ、ステップＳ１においてＮＯ）、かつ、周囲に人が居ない場合に限って、映像の表示を自動的に停止することができる。
【００７２】
また、図３に示す処理（ステップＳ１〜ステップＳ３）の後に、人感信号に基づいて周囲に人が居るか否かを繰り返し判定するステップと、周囲に人が居ると判定された場合に、電源部５３をスタンバイモードから通常モードに復帰させるステップを追加してもよい。
【００７３】
（プログラムおよび記録媒体）
表示装置１０に含まれている制御部１００は、ハードウェアロジックによって構成すればよい。又は、次のように、ＣＰＵ（Central Processing Unit）を用いてソフトウェアによって実現してもよい。
【００７４】
すなわち、制御部１００は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【００７５】
そして、本発明の目的は、制御部１００のプログラムメモリに固定的に担持されている場合に限らず、上記プログラムのプログラムコード（実行形式プログラム、中間コードプログラム、又は、ソースプログラム）を記録した記録媒体を表示装置１０に供給し、表示装置１０が上記記録媒体に記録されている上記プログラムコードを読み出して実行することによっても、達成可能である。
【００７６】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７７】
また、制御部１００（又は表示装置１０）を通信ネットワークと接続可能に構成しても、本発明の目的を達成できる。この場合、上記のプログラムコードを、通信ネットワークを介して制御部１００に供給する。この通信ネットワークは制御部１００にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【００７８】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７９】
なお、本発明は上述した実施形態に限定されるものではなく、請求項に示した範囲で種々の変更が可能であり、実施形態にそれぞれ開示された技術手段を適宜組み合わせて得られる実施形態についても本発明に技術範囲に含まれる。
【００８０】
なお、本発明は上述した実施形態に限定されるものではなく、請求項に示した範囲で種々の変更が可能である。
【産業上の利用可能性】
【００８１】
本発明に係る表示装置は、テレビに好適に適用することができる。
【符号の説明】
【００８２】
７      メモリ
１０    表示装置（表示装置）
１１    アンテナ
１２    アナログチューナー部
１３    アンテナ
１４    デジタルチューナー部
１５    デジタル復調部
１６    分離部（ＤＭＵＸ）
１７    ビデオデコード部
１８    ビデオセレクタ部
１９    映像処理部
２０    合成部
２１    表示制御部
２２    液晶表示装置
２３    ＩＰ放送チューナー部
２４    ＥＰＧ／ＯＳＤ処理部
２５    オーディオデコード部
２６    オーディオセレクタ部
２７    音声出力変換部
２８    スピーカ
３０    外部機器（外部機器）
３１    外部入力部
３２    記録／再生部
３３    選局部
３４    通信制御部
３５    リモコン受光部
３６    リモートコントローラ
５１    ＯＰＣ（ＲＧＢ）センサ（照度センサ）
５２    人感（熱）センサ（人感センサ）
５３    電源部
１００  制御部
１０１  比較部（比較手段）
１０２  比較部
１０３  電源制御部（停止手段）
１０４  輝度調整部（輝度調整手段）
【図１】
2011139358.tif 000003
【図２】
2011139358.tif 000004
【図３】
2011139358.tif 000005
【図４】
2011139358.tif 000006